(57)【特許請求の範囲】
【請求項１】
活線状態にある高圧配電線の所定区間に、高圧配電線から第１の分岐ケーブルが分岐して開閉器に接続され、この開閉器から第２の分岐ケーブルが接続されて前記高圧配電線に合流するバイパス構造を形成する際に、前記第１の分岐ケーブルと前記第２の分岐ケーブルの少なくとも一方の分岐ケーブルの端部を、前記高圧配電線に接続可能位置に搬送されるまで、サブブームを備えた作業車に支持するケーブル支持金具であって、
前記第１の分岐ケーブルと前記第２の分岐ケーブルの少なくとも一方の分岐ケーブルの端部が取り付けられるケーブル取付部と、
前記サブブームへ連結されるサブブーム連結手段と、
前記開閉器との連結及び切り離しを行う開閉器連結手段とを備えることを特徴とするケーブル支持金具。
【請求項２】
前記サブブーム連結手段は、前記開閉器が電柱に取り付けられるまでに、サブブームから吊架状態でサブブームとの連結を行う第１の連結部と、前記開閉器が電柱に取り付けられた後、サブブームへ外嵌されてサブブームに固定される第２の連結部とを備えたことを特徴とする請求項１のケーブル支持金具。
【請求項３】
前記第１の連結部はフックを備えるとともに、前記開閉器連結手段は、前記開閉器を吊架状態とするフックを備えたことを特徴とする請求項２のケーブル支持金具。
【請求項４】
前記第２の連結部は、前記サブブームに外嵌される枠体と、この枠体に設けられた孔部と、この孔部に貫通するピン部材とを備え、ピン部材が前記孔部及び前記サブブームに設けられた孔部を貫通することにより第２の連結部をサブブームに固定することを特徴とする請求項２又は請求項３のケーブル支持金具。
【請求項５】
活線状態にある高圧配電線の所定区間に、高圧配電線から第１の分岐ケーブルが分岐して開閉器に接続され、この開閉器から第２の分岐ケーブルが接続されて前記高圧配電線に合流するバイパス構造を形成するケーブル接続方法であって、
前記第１の分岐ケーブルと前記第２の分岐ケーブルの少なくとも一方の分岐ケーブルの一方の端部を前記請求項１〜請求項４のいずれかに記載のケーブル支持金具に取付けて、前記ケーブル支持金具に取付けられた分岐ケーブルの他方の端部を開閉器に接続し、前記ケーブル支持金具を介して前記開閉器とサブブームとを連結し、
電柱に前記開閉器を取り付けた後、
前記開閉器と前記サブブームとの切り離しを行って、
前記ケーブル支持金具に取付けられた分岐ケーブルの一方の端部を、前記高圧配電線に接続可能な位置にまで搬送した後、
前記ケーブル支持金具に取付けられた分岐ケーブルの一方の端部を、前記ケーブル支持金具から取り外して前記高圧配電線に接続することを特徴とするケーブル接続方法。
【発明の詳細な説明】
【技術分野】
【０００１】
本発明は、高圧配電線にバイパスケーブルを接続する際に、バイパスケーブルを作業車のサブブームに支持するケーブル支持金具、及びそれを用いたケーブル接続方法に関する。
【背景技術】
【０００２】
従来、高圧配電線路において電線の張り替え、支持碍子の取り替え、柱上用電気機器等の取り替え等の工事を行う場合、電力会社では需要家に対して安定して電力の供給を行うため、前記工事区間の線路と並列にバイパス線路を付設するようにしている。このバイパス線路を構成するために、電柱の中間には工事用開閉器が設置される。
【０００３】
近年、例えばヤットコ等の絶縁された工具を使用して、作業者が直接活線に接触しないで工事を行う間接活線工法に移行されている。これにより、作業の安全性の向上、及び効率化がなされており、それに伴い作業方法も大幅に変更され、間接活線工法に適した工具や装置が開発され使用されている。例えば、ケーブルを仮支持するための仮支持装置を電柱に取り付けて、作業の安全性及び効率化を図っている（特許文献１）。
【０００４】
前記仮支持装置を使用して、間接活線工法により高圧配電線路にバイパスケーブルを接続する方法について図５を用いて説明する。説明を簡単にするため、負荷側において１条のケーブル５０を接続する場合について説明する。まず、地上にて開閉器１００にケーブル１０４を接続し、図５（ａ）に示すように、作業車１０１のサブブーム１０２から開閉器１００を電柱１０３の中間位置にまで持ち上げて、開閉器１００を電柱１０３に取り付ける。そして、ケーブル１０４の一端を作業車１０１に仮に預ける。次に、図５（ｂ）に示すように、特許文献１に記載されたようなケーブルの仮支持装置１０５を、電柱１０３の開閉器１００の上方位置に固定する。その後、図５（ｃ）に示すように、仮支持装置１０５にケーブル１０４の他端部を取り付ける。そして、図５（ｄ）に示すように、作業車１０１上の作業者は、例えばヤットコ等の工具を用いて、ケーブルの他端部を高圧配電線路１０６に接続する。
【先行技術文献】
【特許文献】
【０００５】
【特許文献１】特開２００４−５６８３７号公報
【発明の概要】
【発明が解決しようとする課題】
【０００６】
特許文献１のような仮支持装置１０５を電柱１０３に取り付ける場合、この仮支持装置１０５へのケーブル１０４の取り付けに時間を要しており、作業時間が長くなるという問題があった。また、仮支持装置１０５の取り付け位置（つまり、開閉器１００の上方）から高圧配電線路１０６までが離れている。つまり、ケーブル１０４の仮支持位置から接続位置まで、ケーブル１０４の他端部を移動させる距離が長くなる。これにより、ケーブル１０４の他端部を、仮支持装置１０５から高圧配電線路１０６まで移動させる間に、ケーブル１０４の振り回しが発生するという問題があった。
【０００７】
本発明は、上記課題に鑑みて、高圧配電線路へのバイパスケーブルの取り付け作業を容易に行うことができて、しかも、作業時間の短縮を図ることができるケーブル支持金具及びケーブル接続方法を提供する。
【課題を解決するための手段】
【０００８】
本発明のケーブル支持金具は、活線状態にある高圧配電線の所定区間に、高圧配電線から第１の分岐ケーブルが分岐して開閉器に接続され、この開閉器から第２の分岐ケーブルが接続されて前記高圧配電線に合流するバイパス構造を形成する際に、前記第１の分岐ケーブルと前記第２の分岐ケーブルの少なくとも一方の分岐ケーブルの端部を、前記高圧配電線に接続可能位置に搬送されるまで、サブブームを備えた作業車に支持するケーブル支持金具であって、前記第１の分岐ケーブルと前記第２の分岐ケーブルの少なくとも一方の分岐ケーブルの端部が取り付けられるケーブル取付部と、前記サブブームへ連結されるサブブーム連結手段と、前記開閉器との連結及び切り離しを行う開閉器連結手段とを備えるものである。
【０００９】
本発明のケーブル支持金具によれば、ケーブル取付部に分岐ケーブルの一方の端部を取り付け、他方の端部を開閉器に接続した状態で、開閉器をサブブームに連結し、開閉器を電柱に取り付ける。その後、開閉器連結手段により開閉器の切り離しを行うことができるため、ケーブル取付部に分岐ケーブルの一方の端部を保持したまま、分岐ケーブルの一方の端部を高圧配電線に接続可能な近傍にまで搬送する。
【００１０】
前記サブブーム連結手段は、前記開閉器が電柱に取り付けられるまでに、サブブームから吊架状態でサブブームとの連結を行う第１の連結部と、前記開閉器が電柱に取り付けられた後、サブブームへ外嵌されてサブブームに固定される第２の連結部とを備えることができる。これにより、開閉器が電柱に取り付けられる前は、第１の連結部を介してサブブームから吊架状態で連結され、開閉器を電柱に取り付けた後は、第２の連結部をサブブームに直接連結する。これにより、ケーブルの端部が開閉器から高圧配電線に搬送されるまでの間は、第２の連結部にて強固にサブブームに取り付けられる。
【００１１】
前記第１の連結部はフックを備えるとともに、前記開閉器連結手段は、前記開閉器を吊架状態とするフックを備えることができる。
【００１２】
前記第２の連結部は、前記サブブームに外嵌される枠体と、この枠体に設けられた孔部と、この孔部に貫通するピン部材とを備え、ピン部材が前記孔部及び前記サブブームに設けられた孔部を貫通することにより第２の連結部をサブブームに固定することができる。
【００１３】
本発明のケーブル接続方法は、活線状態にある高圧配電線の所定区間に、高圧配電線から第１の分岐ケーブルが分岐して開閉器に接続され、この開閉器から第２の分岐ケーブルが接続されて前記高圧配電線に合流するバイパス構造を形成するケーブル接続方法であって、前記第１の分岐ケーブルと前記第２の分岐ケーブルの少なくとも一方の分岐ケーブルの一方の端部を前記請求項１〜請求項４のいずれかに記載のケーブル支持金具に取付けて、前記ケーブル支持金具に取付けられた分岐ケーブルの他方の端部を開閉器に接続し、前記ケーブル支持金具を介して前記開閉器とサブブームとを連結し、電柱に前記開閉器を取り付けた後、前記開閉器と前記サブブームとの切り離しを行って、前記ケーブル支持金具に取付けられた分岐ケーブルの一方の端部を、前記高圧配電線に接続可能な位置にまで搬送した後、前記ケーブル支持金具に取付けられた分岐ケーブルの一方の端部を、前記ケーブル支持金具から取り外して前記高圧配電線に接続するものである。
【００１４】
本発明のケーブル接続方法によれば、ケーブル取付部に分岐ケーブルの一方の端部を取り付け、他方の端部を開閉器に接続した状態で、前記ケーブル支持金具を介して開閉器をサブブームに連結し、開閉器を電柱に取り付ける。その後、ケーブル支持金具と開閉器の切り離しを行うことができるため、ケーブル取付部に分岐ケーブルの一方の端部を保持したまま、ケーブルの端部を高圧配電線の近傍にまで搬送する。
【発明の効果】
【００１５】
本発明のケーブル支持金具及びケーブル接続方法は、開閉器を電柱に取り付けた後、直ちに分岐ケーブルの一方の端部を高圧配電線の接続可能位置にまで搬送できるので、従来のように分岐ケーブルの一方の端部を一旦電柱に固定するための工具が必要とならず、作業の容易化、及び作業時間の短縮化を図ることができる。しかも、分岐ケーブルをサブブームに固定することができるため、分岐ケーブルの一方の端部を、開閉器から直接高圧配電線まで搬送することができるため、移動距離が短くなり、分岐ケーブルの振り回しを抑制することができる。
【００１６】
サブブームから吊架状態で連結される第１の連結部と、サブブームに固定される第２の連結部とを有するものとすると、分岐ケーブルを開閉器から高圧配電線まで搬送する際に、安定して分岐ケーブルの一方の端部を保持することができる。
【００１７】
前記第１の連結部及び前記開閉器連結手段はフックを備えたものとすると、切り離し作業を容易に行うことができて、作業性の向上を図ることができる。
【００１８】
前記第２の連結部を、枠体と、この枠体に設けられた孔部に貫通するピン部材とを備えると、第２の連結部を容易、かつ安定してサブブームに固定することができて、作業性の向上を図ることができる。
【図面の簡単な説明】
【００１９】
【図１】本発明のケーブル支持金具の正面図である。
【図２】本発明のケーブル支持金具の平面図である。
【図３】本発明のケーブル支持金具の斜視図である。
【図４】本発明のケーブル接続方法を示す工程図である。
【図５】従来のケーブル接続方法を示す工程図である。
【発明を実施するための形態】
【００２０】
以下本発明のケーブル支持金具の実施の形態を図１〜図４に基づいて説明する。
【００２１】
このケーブル支持金具は、図４（ｄ）に示すように、活線状態にある高圧配電線５４の所定区間に、高圧配電線５４から第１の分岐ケーブル５０が分岐して開閉器５５に接続され、この開閉器５５から第２の分岐ケーブル（図示省略）が接続されて前記高圧配電線５４に合流するバイパス構造を形成する際に、前記分岐ケーブル５０（以下、第１の分岐ケーブルと第２の分岐ケーブルとを総称してケーブル５０という）の端部を、前記高圧配電線５４に接続可能位置に搬送されるまで、サブブーム５１を備えた作業車５２に支持するものである。
【００２２】
ケーブル支持金具は、図１に示すように、直方体状のブロック体２０に、ケーブル取付部１と、サブブーム連結手段２と、開閉器連結手段３とが夫々連設されたものである。
【００２３】
ケーブル取付部１は、図２に示すように、ブロック体２０に設けられた孔部４を貫通する棒状体５である。ケーブル取付部１の長さは、少なくとも、ケーブル５０が最大６条及び接地線の取付が可能な長さとしており、このケーブル取付部１にケーブル５０の一方の端部及び接地線が取り付けられる。
【００２４】
サブブーム連結手段２は、第１の連結部６と第２の連結部７とを備えている。第１の連結部６は、ブロック体２０に固定される円環部８を介して、ブロック体２０に固定されるフック９を備えている。このフック９は、サブブーム５１から垂下されたロープ（図示省略）に係合することにより、ケーブル支持金具がサブブーム５１に吊架状態となる。第２の連結部７は、図２に示すように、ブロック体２０から連設されて、反ケーブル取付部側に開口するコの字状の枠体１０と、この枠体１０に設けられた２箇所の孔部１１と、この孔部１１に貫通するピン部材１７とを備えている。ピン部材１７は、図３に示すように、紐部材１４を介して枠体１０に取り付けられている。そして、枠体１０をサブブーム５１に外嵌し、ピン部材１７が枠体１０の孔部１１、及びサブブーム５１に設けられた孔部（図示省略）を貫通することにより、第２の連結部７をサブブーム５１に固定する。ピン部材１７の先端部には、孔部１１に挿入されるとピン部材１７の外径側へ拡径するばね部材１６が設けられている。
【００２５】
開閉器連結手段３は、図１に示すように、ブロック体２０に対して前記第１の連結部６と上下対称位置に設けられ、第１の連結部６と同一の機構にて構成されたものである。すなわち、ブロック体２０に固定される円環部１２を介して、ブロック体２０に固定されるフック１３を備えている。このフック１３は、開閉器５５の係合部（図示省略）に係合することにより、開閉器５５がケーブル支持金具から吊架状態となる。
【００２６】
次に、本発明のケーブル支持金具を用いて、ケーブル５０を高圧配電線５４に接続するケーブル接続方法を説明する。説明を簡単にするため、負荷側において１条のケーブル５０を接続する場合について説明する。ケーブル５０を搬送する搬送手段としては、図４に示すように、サブブーム５１が設置された作業車５２を使用している。サブブーム５１は、作業車５２に設置されており、四角柱状をなし、少なくとも１箇所の貫通孔（図示省略）を有する。作業車５２は、電柱５３の近傍から高圧配電線５４の近傍にまで移動できる。ここで、高圧配電線５４の近傍とは、作業車５２上の作業者が、例えばヤットコ（電気絶縁性を有する操作棒に、２つの挟着片が設置されたもの）等の間接活線工具を使用して、ケーブル５０の端部を高圧配電線５４に接続できる位置をいう。
【００２７】
まず、ケーブル５０の一方の端部を、ケーブル支持金具のケーブル取付部１に取り付けるとともに、ケーブル５０の他方の端部を開閉器５５に接続する。そして、開閉器５５の係合部（図示省略）と、ケーブル支持金具の開閉器連結手段３（フック１３）とを連結するとともに、サブブーム５１から垂下されたロープ（図示省略）と、ケーブル支持金具の第１の連結部６（フック９）とを係合する。これにより、図４（ａ）に示すように、ケーブル支持金具がサブブーム５１から吊架状態となり、さらに開閉器５５がケーブル支持金具から吊架状態となって、ケーブル支持金具を介して開閉器５５とサブブーム５１とを連結する。
【００２８】
この状態で、開閉器５５を吊上げて、図４（ｂ）に示すように、電柱５３に開閉器５５を取り付ける。その後、開閉器５５と、ケーブル支持金具の開閉器連結手段３（フック１３）との連結状態を解除して、開閉器５５とサブブーム５１との切り離しを行う。そして、第２の連結部７をサブブーム５１に直接連結する。すなわち、枠体１０をサブブーム５１に外嵌して、ピン部材１７が枠体１０の孔部１１、及びサブブーム５１に設けられた孔部（図示省略）を貫通させることにより、第２の連結部７をサブブーム５１に固定する。
【００２９】
その後、図４（ｃ）に示すように、作業車５２が高圧配電線５４の近傍にまで移動するようにして、ケーブル５０の一方の端部を高圧配電線５４の近傍にまで搬送する。そして、作業車５２上の作業者は、ヤットコ等の間接活線工具を使用して、図４（ｄ）に示すように、ケーブル５０の一方の端部を、ケーブル支持金具のケーブル取付部１から取り外して高圧配電線５４に接続する。
【００３０】
このように、本発明のケーブル支持金具及びケーブル接続方法によれば、ケーブル取付部１にケーブル５０の一方の端部を取り付け、他方の端部を開閉器５５に接続した状態で、開閉器５５をサブブーム５１に連結し、開閉器５５を電柱５３に取り付ける。その後、開閉器連結手段３により開閉器５５の切り離しを行うことができるため、ケーブル取付部１にケーブル５０の一方の端部を保持したまま、ケーブル５０の一方の端部を高圧配電線５４に接続可能な近傍にまで搬送する。このように、開閉器５５を電柱５３に取り付けた後、直ちにケーブル５０の一方の端部を高圧配電線５４の接続可能位置にまで搬送できるので、従来のようにケーブル５０の一方の端部を一旦電柱５３に固定するための工具が必要とならず、作業の容易化、及び作業時間の短縮化を図ることができる。しかも、ケーブル５０をサブブーム５１に固定することができるため、ケーブル５０の一方の端部を、開閉器５５から直接高圧配電線５４まで搬送することができるため、移動距離が短くなり、ケーブル５０の振り回しを抑制することができる。
【００３１】
ケーブル支持金具は、サブブーム５１から吊架状態で連結される第１の連結部６と、サブブーム５１に固定される第２の連結部７とを有しているので、ケーブル５０を開閉器５５から高圧配電線５４まで搬送する際に、安定してケーブル５０の一方の端部を保持することができる。
【００３２】
第１の連結部６はフック９を備えるとともに、開閉器連結手段３は、開閉器５５を吊架状態とするフック１３を備えているので、切り離し作業を容易に行うことができて、作業性の向上を図ることができる。
【００３３】
第２の連結部７は、サブブーム５１に外嵌される枠体１０と、この枠体１０に設けられた孔部１１と、この孔部１１に貫通するピン部材１７とを備え、ピン部材１７が孔部１１及びサブブーム５１に設けられた孔部を貫通させて、第２の連結部７をサブブーム５１に固定している。これにより、第２の連結部７を容易、かつ安定してサブブーム５１に固定することができて、作業性の向上を図ることができる。
【００３４】
以上、本発明の実施形態につき説明したが、本発明は前記実施形態に限定されることなく種々の変形が可能であって、例えば、ケーブル取付部１は１本の棒状体にて構成したが、２本以上の棒状体にて構成してもよい。第２の連結部７の枠体１０は平面視コの字状としたが、他の形状であってもよい。また、枠体１０の孔部１１の数は２つとしたが、１つであっても、３つ以上であってもよい。
【符号の説明】
【００３５】
１      ケーブル取付部
２      サブブーム連結手段
３      開閉器連結手段
６      第１の連結部
７      第２の連結部
８      円環部
９、１３      フック
１０    枠体
１１    孔部
１２    円環部
１７ ピン部材
５０    分岐ケーブル
５１    サブブーム
５２    作業車
５３    電柱
５４    高圧配電線
５５    開閉器
【図１】
0005558075.tif 000002
【図２】
0005558075.tif 000003
【図３】
0005558075.tif 000004
【図４】
0005558075.tif 000005
【図５】
0005558075.tif 000006